(57)【要約】【課題】メジャーケースに拡大用のレンズ及び筆記具を設け、被測定物の寸法を拡大しながら確実に、しかも迅速に測定することができるとともに、所定位置にマークできるようにした。【解決手段】メジャーケース２に設けてあるスケールテープ３の出入り口２２の上方部に拡大用のレンズ４を設けるとともに、前記メジャーケース２の側面部２３に設けた筆記具５の先端筆記部５２をレンズ体４１の中心位置を横切るセンターラインａの側部に位置させてなる。【選択図】図３
0003120919.tif 000002
【実用新案登録請求の範囲】
【請求項１】
メジャーケースに設けてあるスケールテープの出入り口の上方部に拡大用のレンズを設けるとともに、前記メジャーケースの側面部に設けた筆記具の先端筆記部を前記出入り口の側部に位置させてなることを特徴とする巻き尺。
【請求項２】
前記筆記具の先端筆記部は、拡大用のレンズの中心位置を横切るセンターラインの側方に位置している請求項１に記載の巻き尺。
【請求項３】
メジャーケースの左右の側面部のいずれか一方若しくは両方に筆記具のガイド溝を設け、前記ガイド溝に筆記具を装脱可能に取り付けることができる請求項１または２のいずれか１項に記載の巻き尺。
【考案の詳細な説明】
【技術分野】
【０００１】
本考案は、メジャーケースに拡大用のレンズ及び筆記具を設け、被測定物の寸法を拡大しながら確実に、しかも迅速に測定することができるとともに、所定位置にマークできるようにした巻き尺に関するものである。
【背景技術】
【０００２】
周知のように、巻き尺はメジャーケースと、前記メジャーケースの内部に収納されているスケールテープとからなり、前記スケールテープはメジャーケースに収納する方向に付勢するように設けてある。
したがって、実際の使用に際しては、スケールテープを必要な長さだけをメジャーケースから引出して、先端からどの程度の長さであるかを計測することになり、測定終了後に手を離すとスケールテープがメジャーケースの内部に付勢によって巻き込まれる。
【０００３】
上記したように、従来の巻き尺は、スケールテープがケースの内部に向けて常に付勢されているので、動きやすくて不安定であるし、スケールテープの目盛り表示がきわめて小さい文字なので、正確な測定値を計測することができない。
【０００４】
その改善策として、特開２００５−１９５６１１号公報には、ケースの表面に拡大鏡や照明装置を設けてスケールテープの目盛りを暗所でも拡大して読み取ることができる巻き尺が提案されている。また、特開平１０−２５３３０２号公報には、ケースの表面に筆記具を着脱可能に設けることにより、被測定物に線を引いたり点を記載することができるようにした巻き尺が提案されている。
【特許文献１】特開２００５−１９５６１１号公報
【特許文献２】特開平１０−２５３３０２号公報
【考案の開示】
【考案が解決しようとする課題】
【０００５】
しかし、これら改善された巻き尺であっても、拡大して目盛りを読んだり、或いは、被測定物に筆記具でマークすることができるが、被測定物の寸法を正確に、迅速に測定することが困難であるし、測定しながら目盛りを拡大して正確な位置にマーキングすることが困難である。
【課題を解決するための手段】
【０００６】
本考案が解決しようとする問題点は、きわめて簡単に、しかも正確な寸法によって被測定物を拡大しながら測定することができるとともに、片手できわめて容易に操作できるようにしたものである。
【考案の効果】
【０００７】
本考案の巻き尺は、片手による簡単な操作で、拡大した目盛りを正確に測定することができるし、また測定した目盛りの位置を、被測定物の表面に確実にしかも簡単に表示することができるという利点がある。
【考案を実施するための最良の形態】
【０００８】
したがって、本考案によれば、メジャーケースに設けてあるスケールテープの出入り口の上方部に拡大用のレンズを設けるとともに、前記メジャーケースの側面部に設けた筆記具の先端筆記部を前記出入り口の側部に位置させてなることを特徴とする。
また本考案によれば、前記筆記具の先端筆記部は、拡大用のレンズの中心位置を横切るセンターラインの側方に位置しているし、メジャーケースの左右の側面部のいずれか一方若しくは両方に筆記具のガイド溝を設け、前記ガイド溝に筆記具を装脱可能に取り付けることができる構成である。
【実施例１】
【０００９】
以下に本考案の実施例を図面に基づいて説明する。
図面の実施例において、本考案の巻き尺１は、メジャーケース２の内部にスケールテープ３がバネなど（図示せず）によって巻き込まれるように付勢されて収納され、前記スケールテープ３の下向きに屈曲する先端部３１が、メジャーケース２の一端面２１の下端に開設したテープ出入り口２２から外部に位置している。
【００１０】
そして、前記メジャーケース２の前記テープ出入り口２２を設けた一端面２１には、前記テープ出入り口２２の上方に位置するようにレンズ４を設けてあり、また左右の側面部２３には筆記具５を設けてある。
【００１１】
前記レンズ４は、レンズ体４１を設けてある円環状のフレーム４２を、前記一端面２１に固定するように設けた構成で、テープ出入り口２２から僅かに上方に位置する。
【００１２】
また前記筆記具５は、前記側面部２３に形成した筆記具ガイド溝２４に、ボールペンの芯である屈曲可能な筒状の筆記具本体５１を装脱可能に収納するとともに、前記筆記具本体５１の先端筆記部５２を、前記一端面２１の下端の延長上であってレンズ体４１の中心位置を横切るセンターラインａの側部に位置させる。
【００１３】
したがって、スケールテープ３をメジャーケース２から付勢に抗して延在するように引き出し、図２で示すように先端部３１を被測定物ｂの端縁に係止し、その状態でさらにスケールテープ３を引き出して被測定物ｂの表面に沿わせると、測定する位置をレンズ４により拡大してスケールテープ３によって確認できるばかりでなく、先端部３１を支点にしてメジャーケース２を左右に数ミリ程度だけ動かすだけで、スケールテープ３により測定した位置を筆記具５の先端筆記部５２によって記載することができる。
【００１４】
そして、被測定物ｂの測定を終了したら、スケールテープ３を被測定物ｂから外すだけで、スケールテープ３がメジャーケース２の内部に付勢により巻き込まれる。
【００１５】
なお、図面の実施例では、メジャーケース２の左右の側面部２３に筆記具５を設けた実施例を示している。これは、右利きの使用者の場合は、主に左側の筆記具５を利用し、左利きの使用者の場合は、主に右側の筆記具５を利用することを想定しているからである。しかし、このような想定をしなければ、メジャーケース２の片面にだけ筆記具５を設けてもよい。
また、本考案の巻き尺１は、左右の側面部２３の中央下部を軽く押圧すると、スケールテープ３がメジャーケース２の内部に向かう付勢を止めることができる構成であるのが望ましい。  
【００１６】
以上本考案を図面の実施例に基づいて説明したが、本考案は上記実施例に限定されるものではなく、実用新案登録請求の範囲に記載の構成を変更しない限り、どの様な構成でもよいものである。
【産業上の利用可能性】
【００１７】
本考案の巻き尺は、例えば木材、金属材などの長尺なパイプ材、棒材などの必要寸法を正確に、簡単に測定したり、測定位置を正確にマークすることができる。
【図面の簡単な説明】
【００１８】
【図１】本考案の実施例を示す斜視図である。
【図２】図１の使用状態の斜視図である。
【図３】図１を拡大した一部欠切側面図である。
【図４】図３の一部を欠切した平面図である。
【符号の説明】
【００１９】
１    巻き尺
２    メジャーケース
３    スケールテープ
４    レンズ
５    筆記具
２１    一端面
２２    テープ出入り口
２３    側面部
２４    筆記具ガイド溝
３１    先端部
４１    レンズ体
４２    フレーム
４３    軸受け
５１    筆記具本体
５２    先端筆記部
【図１】
0003120919.tif 000003
【図２】
0003120919.tif 000004
【図３】
0003120919.tif 000005
【図４】
0003120919.tif 000006